(57)【特許請求の範囲】
【請求項１】
カーテン部を案内するガイド部と、ガイド部の内表面を覆う略コ字状のガイド部補強材と、ガイド部を支持して建物躯体に固定される枠部と、を有し、ガイド部補強材の対向する内壁面には抜け止め片が突設され、カーテン部のカーテン縁部には抜け止め部材が突設され、抜け止め部材が対向する抜け止め片間のスリットの奥部に位置して抜け止めされているシャッター用ガイドレールにおいて、
前記ガイド部補強材の一方の係止先端縁部が、ガイド部の内表面の開口縁側における内面に形成された係止溝にガイド部の内側から係入され、ガイド部補強材の他方の係止先端部とガイド部とは、抜け止め片に対して抜け止め部材とは反対側の位置において、固定手段により固定され、
前記ガイド部（１２５）は、その壁部の一部が前記ガイド部補強材（１３１）と前記枠部（１２７）に連結された内側補強材（１３３）によって挟持されており、この挟持部分において、ガイド部（１２５）、ガイド部補強材（１３１）及び内側補強材（１３３）が前記固定手段によって固定されていることを特徴とするシャッター用ガイドレールの防火構造。
【請求項２】
請求項１記載のシャッター用ガイドレールの防火構造であって、
前記ガイド部における前記係止溝と対向する壁面には断面略外向きコ字状の取付凹部（１４７）が形成され、前記ガイド部補強材の前記他方の係止先端部には、取付凹部（１４７）内に嵌合する断面略コ字状の嵌合部（１５１）が形成され、前記内側補強材（１３３）の先端には、取付凹部（１４７）の外壁角部に当接される略Ｌ形の折り曲げ部（７１）が形成され、ガイド部補強材の他方の係止先端部とガイド部と内側補強材（１３３）とは、取付凹部（１４７）、嵌合部（１５１）及び折り曲げ部（７１）において前記固定手段により固定されていることを特徴とするシャッター用ガイドレールの防火構造。
【請求項３】
請求項１又は２記載のシャッター用ガイドレールの防火構造であって、前記係止溝に係入される係止先端縁部が、カーテン縁部と重なる掛かり代部を有することを特徴とするシャッター用ガイドレールの防火構造。
【請求項４】
請求項１乃至３のいずれか１項記載のシャッター用ガイドレールの防火構造であって、前記ガイド部は、アルミ合金により一体に形成され、前記ガイド部補強材及び前記内側補強材（１３３）は、鋼板により形成され、前記固定手段は、リベットにより形成されていることを特徴とするシャッター用ガイドレールの防火構造。
【発明の詳細な説明】
【技術分野】
【０００１】
本発明は、シャッター用ガイドレールの防火構造に関する。
【背景技術】
【０００２】
シャッターカーテンの両側縁をガイドするガイドレールは、アルミ合金などによる押出成形品が用いられることが多い。アルミ合金よりなることで、ガイドレールは意匠性を持たせることができ、またその素材により防錆性もあり住宅用には好適である。ところが、アルミ合金などによるガイドレールは、火災発生時に過度の熱を受けると変形を起こし、さらには溶ける可能性があり、シャッター装置の本来の機能を十分に発揮できない虞がある。そこで、防火機能の向上を図ることができる閉鎖体のガイドレールの構造が提案されている（例えば特許文献１参照）。
【０００３】
この閉鎖体のガイドレールの構造は、空間を仕切る閉鎖体の端縁部分を挿入部に挿入してこの閉鎖体の移動を案内する閉鎖体のガイドレールの構造において、挿入部を形成するガイドレール本体と、このガイドレール本体を補強する補強材とを備える。補強材は、ガイドレール本体の長手方向の全長に渡って連続的に設けられていてもよく、あるいは断続的に設けられていてもよい。
【０００４】
この閉鎖体のガイドレールの構造によれば、補強材を設けてガイドレール本体を補強するので、ガイドレールの強度が全体として向上する。このため、防火や防煙などの防災上の機能や防犯上の機能の向上を図ることが可能となる。ガイドレールが火災発生時に過度の熱を受けて溶けてしまい、本来の機能を十分に発揮できなくなるという不都合を未然に防止することが可能となる。
【先行技術文献】
【特許文献】
【０００５】
【特許文献１】特開２００５−３５１０８２号公報
【発明の概要】
【発明が解決しようとする課題】
【０００６】
しかしながら、上記従来の防火タイプのシャッター装置は、ガイドレールなどの部材そのものを防火専用品にしたり、ガイドレール内部に補強部材を組み込んだりしている。このため、専用部品が増加し、生産効率を低下させた。また、既設のシャッター装置の防火性能を向上させたい場合においても、従来部品をこれらの防火専用部品に交換する必要があり、既設の部品を撤去するなど施工が煩雑となった。さらに、特許文献１の構造では、火災時の加熱などにより外側のガイドレール本体が変形し内側の補強材から分離する恐れがあった。
【０００７】
本発明は上記状況に鑑みてなされたもので、その目的は、既設のシャッター装置の防火性能を容易に向上させることができ、火災時の加熱などにより外側のガイドレール本体が内側の補強材から分離する恐れのない改良されたシャッター用ガイドレールの防火構造を提供することにある。
【課題を解決するための手段】
【０００８】
次に、上記の課題を解決するための手段を、実施の形態に対応する図面（図９〜図１１）を参照して説明する。
本発明の請求項１記載のシャッター用ガイドレールの防火構造は、カーテン部１３を案内するガイド部１２５と、ガイド部１２５の内表面を覆う略コ字状のガイド部補強材１３１と、ガイド部を支持して建物躯体に固定される枠部１２７と、を有し、ガイド部補強材１３１の対向する内壁面には抜け止め片１５３，１５３が突設され、カーテン部のカーテン縁部には抜け止め部材４９が突設され、抜け止め部材４９が対向する抜け止め片１５３，１５３間のスリット４７の奥部に位置して抜け止めされているシャッター用ガイドレール１１Ｄにおいて、
前記ガイド部補強材１３１の一方の係止先端縁部１４９が、ガイド部１２５の内表面１２９の開口縁側における内面に形成された係止溝１４６にガイド部１２５の内側から係入され、ガイド部補強材１３１の他方の係止先端部とガイド部１２５とは、抜け止め片１５３に対して抜け止め部材４９とは反対側の位置において、固定手段により固定されている。
前記ガイド部１２５は、その壁部の一部が前記ガイド部補強材１３１と前記枠部１２７に連結された内側補強材１３３によって挟持されており、この挟持部分において、ガイド部１２５、ガイド部補強材１３１及び内側補強材１３３が前記固定手段によって固定されていることを特徴とする。
請求項２記載の発明は、請求項１記載のシャッター用ガイドレールの防火構造であって、
前記ガイド部における前記係止溝と対向する壁面には断面略外向きコ字状の取付凹部１４７が形成され、前記ガイド部補強材の前記他方の係止先端部には、取付凹部１４７内に嵌合する断面略コ字状の嵌合部１５１が形成され、前記内側補強材１３３の先端には、取付凹部１４７の外壁角部に当接される略Ｌ形の折り曲げ部７１が形成され、ガイド部補強材の他方の係止先端部とガイド部と内側補強材１３３とは、取付凹部１４７、嵌合部１５１及び折り曲げ部７１において前記固定手段により固定されていることを特徴とするシャッター用ガイドレールの防火構造にある。
【０００９】
請求項３記載の構造では、上記請求項１又は２記載のシャッター用ガイドレールの防火構造であって、前記係止溝１４６に係入される係止先端縁部１４９が、カーテン縁部と重なる掛かり代部７３を有している。
【００１０】
請求項４記載の構造では、上記請求項１又は２記載のシャッター用ガイドレールの防火構造であって、前記ガイド部１２５は、アルミ合金により一体に形成され、前記ガイド部補強材１３１は、鋼板により形成され、前記固定手段は、リベットにより形成されている。
【００１１】
上記シャッター用ガイドレールの防火構造では、ガイド部補強材１３１の係止先端縁部１４９が、ガイド部１２５の内表面１２９の開口縁側における内面に形成された係止溝１４６にガイド部１２５の内側から係入されていることから、外側のガイド部１２５が、火災時の加熱変形などにより、軟化し又は変形した場合でも、内側のガイド部補強材１３１に沿って保持されており外方又は内方への変形や脱落などが防止される。さらに、ガイド部補強材の他方の係止先端部とガイド部とは、固定手段により固定されているところから、火災時などにおける、シャッターカーテンの開閉動作が確保され、脱落などによる危険が回避される。
【発明の効果】
【００１２】
本発明に係るシャッター用ガイドレールの防火構造によれば、ガイド部内側のガイド部補強材の係止先端縁部が、ガイド部外側のガイド部の内表面の開口縁側における内面に形成された係止溝に、ガイド部の内側から係入されている。これにより、外側のガイド部が、火災時の加熱変形などにより、軟化し又は変形した場合でも、内側のガイド部補強材に沿って保持されており外方又は内方への変形や脱落などが防止され、火災時などにおける、シャッターカーテンの開閉動作が確保され、脱落などによる危険が回避される。さらに、本発明では、ガイド部補強材の他方の係止先端部とガイド部とは、固定手段により固定されているところから、火災時などにおける、シャッターカーテンの開閉動作が確保され、脱落などによる危険が回避されるという効果がある。
【００１３】
また、本願請求項１発明によれば、そのガイド部１２５の内外壁部が内側補強材１３３とガイド部補強材１３１とによって挟持され、さらに、ガイド部補強材１３１は枠部１２７に連結されているところから、火災時などにおける、ガイド部の脱落などによる危険が一層有効に回避される。
【００１４】
本願請求項２発明によれば、ガイド部１２５の断面略外向きコ字状の取付凹部１４７における内外壁部が内側補強材１３３とガイド部補強材１３１とによって嵌合挟持され、火災時などにおける、ガイド部の脱落などによる危険が一層有効に回避される。
さらに、上記固定手段が取付凹部１４７内に嵌合する断面略コ字状の嵌合部１５１に位置するところから、剛性も向上することとなり、スラット２５とガイド部１２５との隙間にバールなどを差込みこじ開けるなどの不正な破壊的な行為に対して、ガイド部１２５の損壊を抑止でき、防犯性が向上する。
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
本発明に係る請求項３記載のシャッター用ガイドレールの防火構造によれば、カーテン部の抜け止め部材が溶けた場合であっても、内側補強材の掛かり代部でカーテン縁部を引っ掛けることができるので、カーテン部の脱落を防ぐことができる。
【図面の簡単な説明】
【００３５】
【図１】本発明に係るシャッター用ガイドレールの防火構造を備えたシャッター全体の斜視図である。
【図２】図１に示したシャッター装置におけるガイド部及びその固定部分の平断面図である。
【図３】図２に示した化粧枠材、ガイド部、外側補強材、内側補強材の分解平断面図である。
【図４】外側補強材の掛かり代部を説明する図２の要部拡大図である。
【図５】第２実施形態に係るシャッター用ガイドレールの防火構造を表す平断面図である。
【図６】図５に示した防火構造の分解平断面図である。
【図７】第３実施形態に係るシャッター用ガイドレールの防火構造を表す平断面図である。
【図８】図７に示した防火構造の分解平断面図である。
【図９】第４実施形態に係るシャッター用ガイドレールの防火構造を表す平断面図である。
【図１０】図９に示した防火構造の分解平断面図である。
【図１１】図９に示した防火構造の組立手順を示した平断面図である。
【発明を実施するための形態】
【００３６】
以下、本発明に係る実施形態を図面を参照して説明する。
下記第１実施態様から第３実施態様は、本願発明の参考例であり、第４実施形態は本願発明の実施態様である。
図１は本発明に係るシャッター用ガイドレール１１Ａの防火構造を備えたシャッター全体の斜視図である。
本実施形態に係るシャッター用ガイドレール１１Ａの防火構造は、例えばカーテン部１３を用いて建物開口部１５を開閉するシャッター装置１７に好適に用いることができる。
シャッター装置１７は、住宅の外壁１９に設けられたサッシ窓２１の外側に取り付けられる。建物開口部１５の上方にはシャッター装置１７の収納部２３が取り付けられている。カーテン部１３は、アルミ製やスチール製のスラット２５を複数連結した一般的なカーテン部１３の他、パネル材や樹脂製シート状のカーテン部１３とすることもできる。
【００３７】
なお、シート状のカーテン部１３は、他の樹脂にて構成されるシート材や、ゴムシート材、織布や、樹脂製ネットスクリーン、金属製ネットスクリーン、シリカクロス、ガラスクロスなどを素材とする構成や、これら素材を複合や積層させた素材などとしてもよく、このカーテン部１３を構成する素材を、耐火性，防火性，防炎性を有する素材とすることができる。
【００３８】
図２は図１に示したシャッター装置１７におけるガイド部及びその固定部分の平断面図、図３は図２に示した化粧枠材、ガイド部、外側補強材、内側補強材の分解平断面図である。
シャッター用ガイドレール１１Ａの防火構造は、カーテン部１３を案内するガイド部である第１ガイド部２７と、第１ガイド部２７を支持して建物躯体２９に固定される枠部である第１枠部３１と、を有する。また、第１ガイド部２７の外表面３３を覆うとともに、第１ガイド部２７と第１枠部３１との連結部分３５となる出隅部３７を覆う外側補強材である第１外側補強材３９と、第１枠部３１の内側に配設される内側補強材である第１内側補強材４１と、を具備する。第１内側補強材４１と第１外側補強材３９とは、第１ガイド部２７の一部または第１枠部３１の一部の少なくとも一方を挟み、これらを貫通する固定手段であるビス４３にて固定する。
【００３９】
第１ガイド部２７と第１枠部３１とは、アルミ押出成形材よりなる。第１ガイド部２７は、カーテン部１３の操出巻取方向に沿うカーテン縁部４５のそれぞれをスリット４７に抜け止め規制して案内する。抜け止め規制は、断面Ｔ字状の樹脂材よりなる抜け止め部材４９をカーテン縁部４５に取り付け、この抜け止め部材４９をスリット４７に係合して行われる。
【００４０】
第１ガイド部２７は、第１枠部３１と連結部分３５にて連結される。連結部分３５は、第１ガイド部２７に形成される凹状爪５１と、第１枠部３１に形成されるＬ字状爪５３と、からなる。連結部分３５によって連結された第１ガイド部２７と第１枠部３１は、出隅部３７が平断面形状がＬ字状の第１外側補強材３９によって覆われる。出隅部３７を覆った第１外側補強材３９は、第１ガイド部２７の延出片５５を挟んで第１内側補強材４１にビス４３で固定される。つまり、延出片５５は、第１外側補強材３９と第１内側補強材４１とに挟持される。なお、第１ガイド部２７には開口側延出片５７が形成され、開口側延出片５７は第１枠部３１の開口側起立片６１に固定手段にて固定される。
【００４１】
第１内側補強材４１は、他端が、第１枠部３１の支持片６３に固定手段であるリベット６５によって固定される。第１枠部３１は、基部が建物躯体２９に固定される。つまり、第１ガイド部２７を覆った第１外側補強材３９と第１内側補強材４１は、第１枠部３１を介して建物躯体２９に支持されている。第１枠部３１には、第１外側補強材３９または第１内側補強材４１に覆われない部分が存在するが、その殆どは建物外装材６７によって覆われ、外側からの延焼による直接的な影響は受けない。
【００４２】
また、第１ガイド部２７と第１内側補強材４１との間には空隙６９が形成される。この空隙６９は、断熱兼放熱層となる。空隙６９を形成することで、第１ガイド部２７からの熱を伝わりにくくし、かつ高温となった場合の第１ガイド部２７の熱を放熱可能としている。
【００４３】
第１外側補強材３９の外側には化粧枠材である第１化粧枠材５９が設けられ、第１化粧枠材５９は第１外側補強材３９を覆う。高温を遮断するために第１ガイド部２７の外表面３３を覆って設けられた第１外側補強材３９が、さらにその外側に設けられた第１化粧枠材５９によって覆われる。高温の阻止に特化された第１外側補強材３９は、外観からは見えなくなる。このように、第１外側補強材３９は、第１化粧枠材５９で覆われるので、外部からは第１外側補強材３９が見えなくなり、デザイン性を損ねることがない。
【００４４】
第１外側補強材３９と、第１内側補強材４１は鋼板よりなる。鋼板の板厚は０．８〜２ｍｍ程度が好適となる。あまり厚いと重量が増すためである。第１外側補強材３９、第１内側補強材４１は、第１ガイド部２７に沿う方向が、全通しに連続であってもよいし、断続で複数で構成されてもよい。全通しのほうが、補強として、より効果的である。また、第１外側補強材３９や第１内側補強材４１は、第１ガイド部２７の長手方向に複数に分割して製作すれば、製作、施工を容易にできる。第１外側補強材３９は、帯状の鋼板を長手方向に沿う折り曲げ部７１で折り曲げることで、出隅部３７を覆うＬ字形に、安価かつ容易に製作可能となる。
【００４５】
図４は外側補強材の掛かり代部７３を説明する図２の要部拡大図である。
第１外側補強材３９は、カーテン縁部４５と重なる掛かり代部７３を有する。アルミ合金製の第１ガイド部２７は火災による熱で変形を起こし、さらには溶ける虞がある。また、抜け止め部材４９は、樹脂製であり、耐風機能としては有効であるが、火災による熱で溶けて無くなってしまう虞がある。第１外側補強材３９は、掛かり代部７３が設けられていることで、カーテン縁部４５の抜け止め部材４９が溶けても、カーテン縁部４５に重なる掛かり代部７３を残すことができる。すなわち、左右のガイド部の間隔距離が、カーテン部１３の幅長よりも短くなり、これにより、アルミ製の第１ガイド部２７が熱で変形したり溶けたりしても、掛かり代部７３がカーテン縁部に引っ掛かり、カーテン部１３が第１ガイド部２７から外れなくなる。このようにして、耐火材である第１外側補強材３９の掛かり代部７３で両側縁の掛かりを担保してカーテン部１３の脱落を防ぐことができる。
【００４６】
次に、第１実施形態に係るシャッター用ガイドレール１１Ａの防火構造の作用を説明する。
第１実施形態の防火構造では、第１ガイド部２７の外表面３３が、第１ガイド部２７と第１枠部３１との連結部分３５となる出隅部３７を含んで第１外側補強材３９によって覆われる。第１ガイド部２７を覆った第１外側補強材３９は、第１枠部３１の内側に配置される第１内側補強材４１と第１枠部３１を挟んで固定手段にて固定される。つまり、第１ガイド部２７は、外部からの延焼が第１外側補強材３９によって阻止される。第１外側補強材３９は、高温となっても、第１枠部３１を挟んで第１内側補強材４１に固定されているので、建物躯体２９への支持を高温下で長時間、維持し続けることができる。
【００４７】
従って、第１実施形態に係るシャッター用ガイドレール１１Ａの防火構造によれば、第１ガイド部２７の外表面３３を第１外側補強材３９で覆い、この第１外側補強材３９を、第１ガイド部２７の一部または第１枠部３１の一部の少なくとも一方を挟んで第１内側補強材４１に固定手段で固定するので、既設のシャッター装置１７の防火性能を容易に向上させることができる。また、第１ガイド部２７を外側補強材３９で覆うことで、剛性も向上することとなり、スラット２５と第１ガイド部２７との隙間にバールなどを差込みこじ開けるなどの不正な破壊的な行為に対して、第１ガイド部２７の損壊を抑止でき、防犯性の向上にもなる。
【００４８】
次に、本発明に係るシャッター用ガイドレール１１Ｂの防火構造の第２実施形態を説明する。
図５は第２実施形態に係るシャッター用ガイドレール１１Ｂの防火構造を表す平断面図、図６は図５に示した防火構造の分解平断面図である。
第２実施形態に係る防火構造は、カーテン部１３を案内するガイド部である第２ガイド部７５と、第２ガイド部７５を支持して建物躯体２９に固定される枠部である第２枠部７７と、を有する。第２ガイド部７５と第２枠部７７とは、アルミ押出成形材よりなる。そして、防火構造は、第２ガイド部７５の外表面３３を覆って第２ガイド部７５に固定される外側補強材である第２外側補強材７９と、第２ガイド部７５に沿い第２枠部７７の内側に配設される内側補強材である第２内側補強材８１と、第２枠部７７の内側に配設されて第２枠部７７とともに建物躯体２９にビス４３にて固定される支持補強材である第１支持補強材８３と、を具備している。
【００４９】
この防火構造は、第２ガイド部７５を、第２外側補強材７９と第２内側補強材８１によって挟んでビス４３にて固定する。第２内側補強材８１と第１支持補強材８３とで第２ガイド部７５の一部と第２枠部７７の一部とを挟み固定し、第１支持補強材８３を第２枠部７７とともに建物躯体２９に固定している。
【００５０】
第２ガイド部７５は、屋内側に延出する延出短片８５と、延出長片８７と、有する。また、第２内側補強材８１は、屋内側に延出する補強短片８９と、補強長片９１と、を有する。第２ガイド部７５の延出短片８５は、第２外側補強材７９と、補強短片８９とによって挟まれてビス４３にて固定される。第２内側補強材８１の補強長片９１は、延出長片８７と、第２枠部７７、第１支持補強材８３と、によって挟まれ、ビス４３にて固定される。
【００５１】
第２外側補強材７９、第２内側補強材８１、第１支持補強材８３は、鋼板よりなる。第２外側補強材７９、第２内側補強材８１、第１支持補強材８３は、第２ガイド部７５に沿う方向が、全通しに連続であってもよいし、断続で複数で構成されてもよい。全通しのほうが、補強として、より効果的である。また、第２外側補強材７９、第２内側補強材８１、第１支持補強材８３は、第２ガイド部７５の長手方向に複数に分割して製作すれば、製作、施工を容易にできる。第２外側補強材７９、第１支持補強材８３は、帯状の鋼板を長手方向に沿う折り曲げ部７１でＬ字形に折り曲げることで、安価かつ容易に製作可能となる。
【００５２】
第２外側補強材７９の外側には化粧枠材である第２化粧枠材９３が設けられ、第２化粧枠材９３は第２外側補強材７９を覆う。第２化粧枠材９３の建物開口部側の先端には挿入爪９５が形成され、挿入爪９５は第２ガイド部７５に形成される係止溝９７に挿入係止される。高温を遮断するために第２ガイド部７５の外表面３３を覆って設けられた第２外側補強材７９が、さらにその外側に設けられた第２化粧枠材９３によって覆われる。高温の阻止に特化された第２外側補強材７９は、外観からは見えなくなる。このように、外部からは第２外側補強材７９が見えなくなり、デザイン性を損ねることがない。
【００５３】
なお、第２実施形態に係る防火構造においても、第２外側補強材７９は、カーテン縁部４５と重なる掛かり代部７３を有する。これにより、アルミ製の第２ガイド部７５が熱で変形したり溶けたりしても、掛かり代部７３がカーテン縁部引っ掛かり、カーテン部１３が第２ガイド部７５から外れなくなる。このようにして、耐火材である第２外側補強材７９の掛かり代部７３で両側縁の掛かりを担保してカーテン部１３の脱落を防ぐことができる。
【００５４】
次に、第２実施形態に係るシャッター用ガイドレール１１Ｂの防火構造の作用を説明する。
第２実施形態の防火構造では、第２ガイド部７５の外表面３３が、第２外側補強材７９によって覆われ、第２ガイド部７５は、外部からの延焼が第２外側補強材７９によって阻止される。その第２外側補強材７９が、第２枠部７７の内側に配置される第２内側補強材８１に、第２ガイド部７５を挟んで固定される。第２内側補強材８１は、第２枠部７７を挟んで第１支持補強材８３に固定される。第２内側補強材８１が固定された第１支持補強材８３は、第２枠部７７とともに建物躯体２９に固定される。つまり、第２ガイド部７５を覆った第２外側補強材７９が、第２ガイド部７５や第２枠部７７を挟みながら、第２内側補強材８１、第１支持補強材８３に連結されて建物躯体２９に固定される。
【００５５】
第２実施形態に係るシャッター用ガイドレール１１Ｂの防火構造によれば、第２ガイド部７５を第２外側補強材７９と第２内側補強材８１で挟んでビス４３にて固定し、第２内側補強材８１と第１支持補強材８３とで第２ガイド部７５の一部と第２枠部７７の一部とを挟み固定し、第１支持補強材８３を第２枠部７７とともに建物躯体２９に固定するので、既設のシャッター装置１７の防火性能を容易に向上させることができる。また、第２ガイド部７５を第２外側補強材７９で覆うことで、剛性も向上することとなり、スラット２５と第２ガイド部７５との隙間にバールなどを差込みこじ開けるなどの不正な破壊的な行為に対して、第２ガイド部７５の損壊を抑止でき、防犯性の向上にもなる。
【００５６】
次に、本発明に係るシャッター用ガイドレール１１Ｃの防火構造の第３実施形態を説明する。
図７は第３実施形態に係るシャッター用ガイドレール１１Ｃの防火構造を表す平断面図、図８は図７に示した防火構造の分解平断面図である。
第３実施形態に係る防火構造は、カーテン部１３を案内するガイド部である第３ガイド部９９と、第３ガイド部９９を支持して建物躯体２９に固定される枠部である第３枠部１０１と、を有する。第３ガイド部９９と第３枠部１０１とは、アルミ押出成形材よりなる。そして、防火構造は、第３ガイド部９９の内表面１０３を覆うガイド部補強材１０５と、第３ガイド部９９に沿い第３枠部１０１の内側に配設される内側補強材である第３内側補強材１０７と、第３枠部１０１の内側に配設されて第３枠部１０１とともに建物躯体２９にビス４３にて固定される支持補強材である第２支持補強材１０９と、を具備する。
【００５７】
この防火構造では、第３ガイド部９９を、第３ガイド部９９の内側に設けたガイド部補強材１０５と、第３ガイド部９９の外側に設けた第３内側補強材１０７とで挟んで固定手段としてのリベット６５にて固定する。第３内側補強材１０７と第２支持補強材１０９とは、第３ガイド部９９の一部と第３枠部１０１の一部とを挟み固定し、第２支持補強材１０９を第３枠部１０１とともに建物躯体２９に固定する。すなわち、第３ガイド部９９には垂直片１１１が形成され、第３内側補強材１０７は、垂直片１１１と、第３枠部１０１、第２支持補強材１０９と、によって挟まれ、ビス４３にて固定される。なお、第３枠部１０１には起立板部１１３が形成され、起立板部１１３は起立先端１１５にフック部１１７が形成される。第３枠部１０１と第３ガイド部９９とは、このフック部１１７と、第３ガイド部９９に形成された取付爪１１９とを係止することで係合する。また、第３ガイド部９９には、内表面１０３の開口縁側に係止溝１０４が形成され、ガイド部補強材１０５の係止先端縁部１０６が係入されて、リベット６５による固定にて第３ガイド部９９へのガイド部補強材１０５の固定が行われる。
【００５８】
第３ガイド部９９にはガイド部抜け止め片１２１が内側に突設される。ガイド部補強材１０５には、ガイド部抜け止め片１２１に対向する補強材抜け止め片１２３が突設される。カーテン部１３には、ガイド部抜け止め片１２１と補強材抜け止め片１２３に抜け止めされる抜け止め部材４９がカーテン縁部４５に設けられている。第３ガイド部９９にガイド部補強材１０５が挿入されると、このガイド部補強材１０５に突設された補強材抜け止め片１２３が、第３ガイド部９９に形成されているガイド部抜け止め片１２１と対向配置される。つまり、第３ガイド部９９に設けられたガイド部抜け止め片１２１と、ガイド部補強材１０５に設けられた補強材抜け止め片１２３とによって、カーテン部１３の脱落が規制される。このように、ガイド部補強材１０５に、補強材抜け止め片１２３を突設することで、第３ガイド部９９の内側に一対のガイド部抜け止め片１２１を対向して形成せずに済み、ガイド部補強材１０５をガイド部の内側に容易に挿入できる。なお、ガイド部補強材１０５は、リベット６５を取り除き、係止溝１０４から係止先端縁部１０６を抜脱させることで、第３ガイド部９９から取り外すことが可能であり、このことから、補強材抜け止め片１２３がガイド部抜け止め片１２１との対向配置が解かれ、カーテン部１３に対する脱落規制を解除可能となる。すなわち、ガイド部補強材１０５が脱着可能な構成とされ、カーテン部１３のメンテナンスが可能となる。なお、このメンテナンス性をさらに容易なものとするために、上記リベットよりなる固定手段６５をビスやボルト・ナットなどで構成させても良い。
【００５９】
ガイド部補強材１０５と、第３内側補強材１０７と、第２支持補強材１０９と、は鋼板よりなる。ガイド部補強材１０５、第３内側補強材１０７、第２支持補強材１０９は、第３ガイド部９９に沿う方向が、全通しに連続であってもよいし、断続で複数で構成されてもよい。全通しのほうが、補強として、より効果的である。また、ガイド部補強材１０５、第３内側補強材１０７、第２支持補強材１０９は、第３ガイド部９９の長手方向に複数に分割して製作すれば、製作、施工を容易にできる。第３内側補強材１０７、第２支持補強材１０９は、帯状の鋼板を長手方向に沿う折り曲げ部７１でＬ字形、Ｗ状に折り曲げることで、安価かつ容易に製作可能となる。
【００６０】
なお、第３実施形態に係る防火構造においても、ガイド部補強材１０５は、カーテン縁部４５と重なる掛かり代部７３を有する。これにより、アルミ製の第３ガイド部９９が熱で変形したり溶けたりしても、掛かり代部７３がカーテン縁部引っ掛かり、カーテン部１３がガイド部補強材１０５から外れなくなる。このようにして、耐火材であるガイド部補強材１０５の掛かり代部７３で両側縁の掛かりを担保してカーテン部１３の脱落を防ぐことができる。
【００６１】
次に、第３実施形態に係るシャッター用ガイドレール１１Ｃの防火構造の作用を説明する。
第３実施形態の防火構造では、第３ガイド部９９の内方にガイド部補強材１０５が設けられ、このガイド部補強材１０５は、第３ガイド部９９を挟んで第３内側補強材１０７に固定される。第３内側補強材１０７は、第３ガイド部９９、第３枠部１０１、第２支持補強材１０９に固定される。第２支持補強材１０９は、第３枠部１０１とともに建物躯体２９に固定される。つまり、第３ガイド部９９は、内表面１０３を覆ったガイド部補強材１０５によって、高温による変形が生じにくくなる。このガイド部補強材１０５は、第３内側補強材１０７を介して第２支持補強材１０９に固定され、さらに第２支持補強材１０９が第３枠部１０１とともに建物躯体２９に固定される。
【００６２】
第３実施形態に係るシャッター用ガイドレール１１Ｃの防火構造によれば、第３ガイド部９９を、ガイド部補強材１０５と第３内側補強材１０７とで挟んで固定手段にて固定し、第３内側補強材１０７と第２支持補強材１０９とで第３ガイド部９９の一部と第３枠部１０１の一部とを挟み固定し、第２支持補強材１０９を第３枠部１０１とともに建物躯体２９に固定するので、既設のシャッター装置１７の防火性能を容易に向上させることができる。また、第３ガイド部９９の内側をガイド部補強材１０５で覆うことで、剛性も向上することとなり、スラット２５と第３ガイド部９９との隙間にバールなどを差込みこじ開けるなどの不正な破壊的な行為に対して、第３ガイド部９９の損壊を抑止でき、防犯性の向上にもなる。
【００６３】
次に、本発明に係るシャッター用ガイドレール１１Ｄの防火構造の第４実施形態を説明する。
図９は第４実施形態に係るシャッター用ガイドレール１１Ｄの防火構造を表す平断面図、図１０は図９に示した防火構造の分解平断面図、図１１は図９に示した防火構造の組立手順を示した平断面図である。
第４実施形態に係る防火構造は、カーテン部１３を案内するガイド部である第４ガイド部１２５と、第４ガイド部１２５を支持して建物躯体２９に固定される枠部である第４枠部１２７と、を有する。第４ガイド部１２５と第４枠部１２７とは、アルミ押出成形材よりなる。そして、防火構造は、第４ガイド部１２５の内表面１２９を覆う第２ガイド部補強材１３１と、第４ガイド部１２５に沿い第４枠部１２７の内側に配設される内側補強材である第４内側補強材１３３と、第４枠部１２７の内側に配設されて第４枠部１２７とともに建物躯体２９にビス４３にて固定される支持補強材である第３支持補強材１３５と、を具備する。
【００６４】
この防火構造では、第４ガイド部１２５を、第４ガイド部１２５の内側に設けた第２ガイド部補強材１３１と、第４ガイド部１２５の外側に設けた第４内側補強材１３３とで挟んで固定手段としてのリベット６５にて固定する。第４内側補強材１３３と第３支持補強材１３５とは、第４ガイド部１２５の一部と第４枠部１２７の一部とを挟み固定し、第３支持補強材１３５を第４枠部１２７とともに建物躯体２９に固定する。すなわち、第４ガイド部１２５には垂直片１３７が形成され、第４内側補強材１３３は、垂直片１３７と、第４枠部１２７、第３支持補強材１３５と、によって挟まれ、ビス４３にて固定される。なお、第４枠部１２７には起立板部１３９が形成され、起立板部１３９は起立先端１４１にフック部１４３が形成される。第４枠部１２７と第４ガイド部１２５とは、このフック部１４３と、第４ガイド部１２５に形成された取付爪１４５とを係止することで係合する。また、第４ガイド部１２５には、内表面１２９の開口縁側における対向する面の一方に係止溝１４６が形成され、他方の面には取付凹部１４７が凹設され、第２ガイド部補強材１３１の係止先端縁部１４９が係入されるとともに、断面略コ字状の嵌合部１５１を取付凹部１４７に嵌めて、リベット６５による固定にて第４ガイド部１２５への第２ガイド部補強材１３１の固定が行われる。なお、リベット６５は、嵌合部１５１と取付凹部１４７による略コ字状の凹溝形状の内側に打設されるので、第２ガイド部補強材１３１の内側に突出せず、カーテン部１３の干渉とならない。
【００６５】
第２ガイド部補強材１３１には、対向する内面に補強材抜け止め片１５３が対となって突設される。カーテン部１３には、これら一対の補強材抜け止め片１５３，１５３に抜け止めされる抜け止め部材４９がカーテン縁部４５に設けられている。これら補強材抜け止め片１５３が対向配置されることで、カーテン部１３の脱落が規制される。このように、第２ガイド部補強材１３１に、補強材抜け止め片１５３を突設することで、第４ガイド部１２５の内側に抜け止め片等を形成せずに済み、第２ガイド部補強材１３１をガイド部の内側に容易に挿入できる。なお、第２ガイド部補強材１３１は、リベット６５を取り除くことで、第４ガイド部１２５から取り外すことが可能であり、このことから、カーテン部１３に対する脱落規制を解除可能となる。すなわち、第２ガイド部補強材１３１が脱着可能な構成とされ、カーテン部１３のメンテナンスが可能となる。なお、このメンテナンス性をさらに容易なものとするために、上記リベットよりなる固定手段６５をビスやボルト・ナットなどで構成させても良い。
【００６６】
第２ガイド部補強材１３１と、第４内側補強材１３３と、第３支持補強材１３５と、は鋼板よりなる。第２ガイド部補強材１３１、第４内側補強材１３３、第３支持補強材１３５は、第４ガイド部１２５に沿う方向が、全通しに連続であってもよいし、断続で複数で構成されてもよい。全通しのほうが、補強として、より効果的である。また、第２ガイド部補強材１３１、第４内側補強材１３３、第３支持補強材１３５は、第４ガイド部１２５の長手方向に複数に分割して製作すれば、製作、施工を容易にできる。第４内側補強材１３３、第３支持補強材１３５は、帯状の鋼板を長手方向に沿う折り曲げ部７１でＺ字形、略Ｗ字状に折り曲げることで、安価かつ容易に製作可能となる。
【００６７】
なお、第４実施形態に係る防火構造においても、第２ガイド部補強材１３１は、カーテン縁部４５と重なる掛かり代部７３を有する。これにより、アルミ製の第４ガイド部１２５が熱で変形したり溶けたりしても、掛かり代部７３がカーテン縁部に引っ掛かり、カーテン部１３が第２ガイド部補強材１３１から外れなくなる。このようにして、耐火材である第２ガイド部補強材１３１の掛かり代部７３で両側縁の掛かりを担保してカーテン部１３の脱落を防ぐことができる。
【００６８】
次に、第４実施形態に係るシャッター用ガイドレール１１Ｄの防火構造の作用を説明する。
第４実施形態の防火構造では、第４ガイド部１２５の内方に第２ガイド部補強材１３１が設けられ、この第２ガイド部補強材１３１は、第４ガイド部１２５を挟んで第４内側補強材１３３に固定される。第４内側補強材１３３は、第４ガイド部１２５、第４枠部１２７、第３支持補強材１３５に固定される。第３支持補強材１３５は、第４枠部１２７とともに建物躯体２９に固定される。つまり、第４ガイド部１２５は、内表面１２９を覆った第２ガイド部補強材１３１によって、高温による変形が生じにくくなる。この第２ガイド部補強材１３１は、第４内側補強材１３３を介して第３支持補強材１３５に固定され、さらに第３支持補強材１３５が第４枠部１２７とともに建物躯体２９に固定される。なお、図１１に示すように、第４ガイド部材１２５に第ガイド部補強材１３１を嵌合し、第４内側補強材１３３とともに、リベット６５にてこれらを固定状態とした後に、予め建物躯体２９側に固定されている第４枠部１２７及び第３支持補強材１３５に対して、取付爪１４５とフック部１４３とを係止し、ビス４３にて固定する手順とする。
【００６９】
第４実施形態に係るシャッター用ガイドレール１１Ｄの防火構造によれば、第４ガイド部１２５を、第２ガイド部補強材１３１と第４内側補強材１３３とで挟んで固定手段６５にて固定し、第４内側補強材１３３と第３支持補強材１３５とで第４ガイド部１２５の一部（垂直片１３７）と第４枠部１２７の一部とを挟み固定し、第３支持補強材１３５を第４枠部１２７とともに建物躯体２９に固定するので、既設のシャッター装置１７の防火性能を容易に向上させることができる。また、第２ガイド部補強材１３１の内側に補強材抜け止め片１５３を対向突出させたので、高温による変形が生じず、カーテン部１３の脱落を起こし難くするとともに、この第２ガイド部補強材１３１が、係止先端縁部１４９と嵌合部１５１により第４ガイド部１２５に嵌合状態を保ち、加熱による変形を遅らせ、この第２ガイド部補強材１３１が第４ガイド部１２５の形状を維持させる。さらに、第４ガイド部１２５の内側を略コ字状の第２ガイド部補強材１３１で覆うことで、さらに剛性も向上することとなり、スラット２５と第４ガイド部１２５との隙間にバールなどを差込みこじ開けるなどの不正な破壊的な行為に対して、第４ガイド部１２５の損壊を抑止でき、防犯性の向上にもなる。
【００７０】
なお、上記実施形態では、外側補強材、内側補強材、支持補強材として鋼板が使用される例を説明したが、これら部材はこの他、セラミックなどとすることもできる。また、例えば脱落などを起こさず補強することが可能なように、セラミックを吹き付けた他の素材との複合構造とすることもできる。また、化粧枠材は、不燃材料であればよく、アルミ合金以外のその他の素材であってもよい。
【符号の説明】
【００７１】
１１Ａ，１１Ｂ，１１Ｃ，１１Ｄ…シャッター用ガイドレール
１３…カーテン部
２７…ガイド部（第１ガイド部）
２９…建物躯体
３１…枠部（第１枠部）
３３…外表面
３５…連結部分
３７…出隅部
３９…外側補強材（第１外側補強材）
４１…内側補強材（第１内側補強材）
４３…固定手段（ビス）
４５…カーテン縁部
４９…抜け止め部材
５９…化粧枠材（第１化粧枠材）
６５…固定手段（リベット）
７３…掛かり代部
７５…ガイド部（第２ガイド部）
７７…枠部（第２枠部）
７９…外側補強材（第２外側補強材）
８１…内側補強材（第２内側補強材）
８３…支持補強材（第１支持補強材）
９３…化粧枠材（第２化粧枠材）
９９…ガイド部（第３ガイド部）
１０１…枠部（第３枠部）
１０３，１２９…内表面
１０５…ガイド部補強材
１０７…内側補強材（第３内側補強材）
１０９…支持補強材（第２支持補強材）
１２１…ガイド部抜け止め片
１２３，１５３…補強材抜け止め片
１２５…ガイド部（第４ガイド部）
１２７…枠部（第４枠部）
１３１…ガイド部補強材（第２ガイド部補強材）
１３３…内側補強材（第４内側補強材）
１３５…支持補強材（第３支持補強材）
【図１】
0006227713.tif 000002
【図２】
0006227713.tif 000003
【図３】
0006227713.tif 000004
【図４】
0006227713.tif 000005
【図５】
0006227713.tif 000006
【図６】
0006227713.tif 000007
【図７】
0006227713.tif 000008
【図８】
0006227713.tif 000009
【図９】
0006227713.tif 000010
【図１０】
0006227713.tif 000011
【図１１】
0006227713.tif 000012